(57)【要約】カフェなどにおいてヘッドフォンスタンドを簡易に構築することを可能にする技術を提供する。本発明によれば、互いに対向する前面部と背面部を有する袋体と、前記袋体の上辺に設けられた開口部と、前記開口部の閉口を阻止し且つ前記袋体を膨らんだ状態に維持する形状維持部と、を有するバッグが提供される。
2017195571.tif 000002
【特許請求の範囲】
【請求項１】
互いに対向する前面部と背面部を有する袋体と、
前記袋体の上辺に設けられた開口部と、
前記開口部の閉口を阻止し且つ前記袋体を膨らんだ状態に維持する形状維持部と、
を有するバッグ。
【請求項２】
前記形状維持部は、前記袋体の両端に隣接して設けられ且つ互いに連結可能な一対の連結部を備える、請求項１に記載のバッグ。
【請求項３】
前記一対の連結部は、互いに係合可能な一対の係合部である、請求項２に記載のバッグ。
【請求項４】
前記開口部にはファスナーが設けられ、
前記一対の連結部は、前記ファスナーの両端に設けられる、請求項２又は請求項３に記載のバッグ。
【請求項５】
前記形状維持部は、前記袋体内部に設けられ且つ前記前面部と前記背面部が近接することを阻止する内部支持部材を備える、請求項１〜請求項４の何れか１つに記載のバッグ。
【請求項６】
前記形状維持部は、前記前面部及び前記背面部の少なくとも一方に設けられた面形状維持部材を備え、前記面形状維持部材は、前記面形状維持部材が設けられた面が変形されたときにその形状を維持するように構成される、請求項１〜請求項５の何れか１つに記載のバッグ。
【請求項７】
前記袋体の下辺側に、前記袋体の側面から前記袋体の中央側に向かって凸となる変形誘発部が設けられ、
前記変形誘発部により前記袋体の変形が誘発され、前記変形誘発部周辺に載置面が形成されるように構成される、
請求項１〜請求項６の何れか１つに記載のバッグ。
【請求項８】
袋体と、
前記袋体の上辺に設けられた開口部を備え、
前記袋体の下辺側に、前記袋体の側面から前記袋体の中央側に向かって凸となる変形誘発部が設けられ、
前記変形誘発部により前記袋体の変形が誘発され、前記変形誘発部周辺に載置面が形成されるように構成される、バッグ。
【請求項９】
互いに連結可能な連結部を両端に有するファスナー。
【発明の詳細な説明】
【技術分野】
【０００１】
本発明は、バッグ及びファスナーに関する。
【背景技術】
【０００２】
近年、ヘッドフォンの愛用者が増えている。家庭においては、ヘッドフォンを使用しないときには、特許文献１に開示されているようなヘッドフォンスタンドに掛けて保持することが一般的である。
【先行技術文献】
【非特許文献】
【０００３】
【特許文献１】意匠登録第１４５１７７１号公報
【発明の概要】
【発明が解決しようとする課題】
【０００４】
ところで、ヘッドフォンの愛用者は、カフェなどにおいてもヘッドフォンを利用することが多いが、カフェにはヘッドフォンスタンドがないので、席を外すときにヘッドフォンを置く場所がなく困ることが多い。【０００５】
本発明はこのような事情に鑑みてなされたものであり、カフェなどにおいてヘッドフォンスタンドを簡易に構築することを可能にする技術を提供するものである。
【課題を解決するための手段】
【０００６】
本発明によれば、互いに対向する前面部と背面部を有する袋体と、前記袋体の上辺に設けられた開口部と、前記開口部の閉口を阻止し且つ前記袋体を膨らんだ状態に維持する形状維持部と、を有するバッグが提供される。【０００７】
本発明者は、身近にあるものでヘッドフォンスタンドを構築すべく鋭意検討を行ったところ、ヘッドフォンを収容して持ち運ぶバッグに注目し、このバッグの袋体を膨らんだ状態に維持する形状維持部を設けることによって、バッグを裏返しにして安定して立てることができることに気がついた。そして、裏返して立てたバッグがヘッドフォンスタンドとして好適に利用可能であることに気がついた。また、このような裏返して立てたバッグは、ヘッドフォンスタンド以外にも、別のものを載置する載置台として利用可能であったり、側面にスピーカーなどの機能部品を組み込むことによって電子機器として利用可能であったりすることに気が付き、本発明の完成に到った。
このように、本発明のバッグは、通常の状態では、コンパクトな袋体でありながら、形状維持部によって袋体を膨らんだ状態に維持することにより、裏返して立てて所望の機能を発揮させることができる。【０００８】
ここで、本発明の種々の実施形態を例示する。これらの実施形態は、互いに組み合わせ可能である。
好ましくは、前記形状維持部は、前記袋体の両端に隣接して設けられ且つ互いに連結可能な一対の連結部を備える。
好ましくは、前記一対の連結部は、互いに係合可能な一対の係合部である。
好ましくは、前記開口部にはファスナーが設けられ、前記一対の連結部は、前記ファスナーの両端に設けられる。
好ましくは、前記形状維持部は、前記袋体内部に設けられ且つ前記前面部と前記背面部が近接することを阻止する内部支持部材を備える。
好ましくは、前記形状維持部は、前記前面部及び前記背面部の少なくとも一方に設けられた面形状維持部材を備え、前記面形状維持部材は、前記面形状維持部材が設けられた面が変形されたときにその形状を維持するように構成される。
好ましくは、前記袋体の下辺側に、前記袋体の側面から前記袋体の中央側に向かって凸となる変形誘発部が設けられ、前記変形誘発部により前記袋体の変形が誘発され、前記変形誘発部周辺に載置面が形成されるように構成される。
好ましくは、袋体と、前記袋体の上辺に設けられた開口部を備え、前記袋体の下辺側に、前記袋体の側面から前記袋体の中央側に向かって凸となる変形誘発部が設けられ、前記変形誘発部により前記袋体の変形が誘発され、前記変形誘発部周辺に載置面が形成されるように構成される、バッグが提供される。
好ましくは、互いに連結可能な連結部を両端に有するファスナーが提供される。
【図面の簡単な説明】
【０００９】
【図１】本発明の第１実施形態に係るバッグ１００の正面図である。
【図２】本発明の第１実施形態に係るバッグ１００の背面図である。
【図３】本発明の第１実施形態に係る形状維持部に相当する２つの連結部を表す図であり、（ａ）は連結部５、（ｂ）は連結部６を表す。
【図４】連結部５，６が取り付けられた状態を表す図である。
【図５】変形誘発部７を境にバッグ１００が変形し、変形誘発部７の周辺に載置面１０が形成された状態を表す図であり、（ａ）は正面図、（ｂ）は斜視図である。
【図６】載置面１０に物が載置される様子を表す図である。なお、本実施形態では、ヘッドフォン２０を載置面１０に載置した様子を示す。
【図７】本発明の第１実施形態に係るバッグ１００に紐部材３０を取り付けた様子を表す図である。紐部材３０は、バッグ１００に設けられた２つの紐部材取付リング８に取り付けられる。
【図８】連結部５，６が袋体の両端に隣接して設けられた例を表す模式図である。
【図９】本発明の第２実施形態を示す図である。ここでは、一例としてバッグ１００の前面部１と背面部２を内部から支持する内部支持部材７０の例を示す。
【発明を実施するための形態】
【００１０】
以下、本発明の実施形態について説明する。以下の実施形態は、例示であって、本発明の範囲は、以下の実施形態で示すものに限定されない。
【００１１】
１．第１実施形態
図１〜図７を用いて、本発明の第１実施形態に係るバッグ１００について説明する。バッグ１００は、図１に示す前面部１と図２に示す背面部２からなる袋体と、図４に示す袋体の上辺に設けられた開口部３と、開口部３の閉口を阻止し且つ袋体を膨らんだ状態に維持する形状維持部と、を有する。ここで、図３に示されるように、本実施形態では、形状維持部は、ファスナー４の両端に設けられ且つ互いに連結可能な連結部５，６によって構成される。
【００１２】
本実施形態では、袋体は２層構造であり、外部はレザー製の袋体であり、レザー製の袋体の内部にフェルト製の袋体が形成されている。なお、これらの素材は任意であり、用途に応じて任意の素材で形成することができる。さらに、本実施形態では、美観向上のため、前面部１及び背面部２の上部はフェルト９で形成される。
【００１３】
開口部３の長手方向に沿って、ファスナー４が設けられる。そして、開口部３を開口状態として、袋体の内部に物を収納することができる。ここで、ファスナー４は、スライダー４１、テープ４２及びエレメント４３により構成される。スライダー４１は、エレメント４３を噛みあわせる機能を有し、スライダー４１を移動させることにより開口部３の開閉状態を変化させることができる。テープ４２は、エレメント４３が設けられる部分である。エレメント４３は、スライダー４１と噛み合い、スライダー４１の移動を可能とするものである。そして、エレメント４３が噛みあって閉じることにより、開口部３が閉状態となる。
【００１４】
ファスナー４の両端は、開口部３の長手方向の両端に隣接しており、ファスナー４の両端に連結部５，６が設けられる。連結部５，６は、互いに連結可能であり、連結部５，６を互いに連結させることにより、開口部３の長手方向の両端が互いに接近する。
【００１５】
図３に示されるように、本実施形態では、連結部５は係合部５１及び切欠部５２を備える。また、連結部６には、開口６１が設けられる。そして、図４に示されるように、係合部５１を開口６１に挿入し、略９０度回転させることにより、係合部５１のＴ字部分が開口６１の両側辺に引っ掛かり、連結部５，６が取り付けられる。このように、連結部５，６は、係合によって互いに連結可能な構成になっている。連結部５，６を連結させることにより、袋体が膨らんだ状態に維持される。つまり、ファスナー４は、互いに連結可能な連結部（連結部５，６）を両端に有する有するファスナーであると言える。
【００１６】
図１及び図２に示されるように、袋体を構成する前面部１及び背面部２の下辺側に、袋体の側面から袋体の中央側に向かって凸となる変形誘発部７（図中の白破線。以下同様。）が設けられる。本実施形態では、変形誘発部７は縫目であり、変形誘発部７に沿って前面部１及び背面部２を袋体の内部に向けて折り曲げることが可能になっている。ここで、袋体内部のフェルト製の袋体は、変形誘発部７と前面部１及び背面部２で構成される三角形の領域には存在しないような形状であることが好ましい。これは、かかる三角形の領域にフェルト製の袋体が存在しないことにより、容易に前面部１及び背面部２を袋体の内部に向けて折り曲げることが可能となるためである。
【００１７】
そして、連結部５，６を取り付けた状態で、変形誘発部７に沿って前面部１及び背面部２を袋体の内部に向けて折り曲げ、バッグ１００の上下を逆にすると、図５に示される状態となる。バッグ１００は、連結部５，６により開口部３の閉口が阻止され且つバッグ１００が膨らんだ状態に維持されることにより、テーブルや床上で自立することが可能となる。そして、変形誘発部７に沿って前面部１及び背面部２を袋体の内部に向けて折り曲げることにより、変形誘発部７周辺に載置面１０が形成される。
【００１８】
図６は、図５の状態におけるバッグ１００の使用例を示す図である。ここで、本実施形態では、ヘッドフォン２０を載置面１０に載置した様子を示しているが、載置面１０に載置するものはこれに限定されない。例えば、スマートフォン等の携帯情報端末、ペン、メガネ、ガム等の小物を載置面１０に載置してもよい。
【００１９】
また、図１及び図２に示されるように、前面部１及び背面部２のフェルト９との境目付近には、紐部材取付リング８が設けられる。そして、必要に応じて、図７に示されるように、紐部材取付リング８を介して紐部材３０の両端をバッグ１００に取り付けてもよい。
【００２０】
以上説明したように、本実施形態によれば、バッグ１００の上下を逆にした状態でテーブルにバッグ１００を自立させ、変形誘発部７により形成された載置面１０に物を載置することが可能となる。これにより、例えばカフェ等のように狭いテーブル上においても、ヘッドフォン２０等の物の載置場所を確保することが可能となる。
【００２１】
本発明は、以下の形態でも実施可能である。
・上記実施形態では、連結部５，６の係合部５１（Ｔ字部分）と開口６１を互いに係合させたが、連結部５，６は、別の構成（例：ボタン、ハトメ、面ファスナー、紐）によって連結させてもよい。
・上記実施形態では、連結部５，６は、互いに係合させることによって連結させたが、連結部５，６は、磁力や粘着力によって互いに連結させてもよい。
・上記実施形態では、開口部３にファスナー４が設けられているが、ファスナー４は省略可能である。この場合、連結部５，６は、袋体の長手方向の両端に隣接した任意の位置に配置することができる。例えば、図９の領域Ｙ及びＺに配置することができる。この場合、例えば図８（ａ）に示されるように、例えば連結部５，６を袋体の内部に設けてもよい。そして、連結部５，６を互いに連結させることにより、図８（ｂ）に示される状態となる。
・互いに対向する前面部及び背面部を有する袋体について説明したが、明確に前面部と背面部を区別できない形状のバッグについても適用可能である。かかる場合、袋体の一部を前面部とみなし、前面部と対向する箇所を背面部とみなす。
【００２２】
２．第２実施形態
次に、図９を用いて、本発明の第２実施形態について説明する。本実施形態は、第１実施形態に類似しており、形状維持部の構成の違いが主な相違点である。以下、相違点を中心に説明する。
【００２３】
本実施形態では、図９に示されるように、袋体内部に内部支持部材７０が設けられており、内部支持部材７０によって形状維持部が構成される。内部支持部材７０によって前面部１及び背面部２が近接することが阻止されることによって、袋体が膨らんだ状態に維持される。かかる内部支持部材７０は、バッグ１００を変形させないときには、バッグ１００の内部のポケット等に入れておいてもよい。また、その一部をバッグ１００の内面（例えば領域Ｘで示される部分）に固定しておいてもよい。
【００２４】
内部支持部材７０は、前面部１と背面部２の近接を阻止することができる任意の形状にすることができ、図９に示すような棒状であってよく、円形などの別の形状であってもよい。
【００２５】
３．第３実施形態
次に、本発明の第３実施形態について説明する。本実施形態は、第１実施形態に類似しており、形状維持部の構成の違いが主な相違点である。以下、相違点を中心に説明する。
【００２６】
本実施形態では、袋体を構成する前面部１及び背面部２に、前面部１又は背面部２を変形させたときにその形状を維持する面形状維持部材が設けられており、面形状維持部材によって形状維持部が構成される。面形状維持部材は、例えば金属薄板のような容易に塑性変形させることができる部材で構成される。このような部材を前面部１及び背面部２に内蔵させるか又はその表面に貼り付けることによって、袋体が膨らんだ状態になるように前面部１及び背面部２を変形させると、面形状維持部材によって前面部１及び背面部２の形状が維持される。面形状維持部材は、前面部１及び背面部２の両方に設けることが好ましいが、一方のみに設けてもよい。
【００２７】
４．その他
上記実施形態では、バッグ１００をヘッドフォンスタンドとして利用する例について説明したが、かかるバッグ１００の使用方法はこれらに限定されない。例えば、バッグ１００の前面部１又は背面部２若しくはその他の場所にスピーカー等の電子機器を組み込むことにより、電子機器として利用することができる。さらに、バッグ１００を変形させた状態（つまり、通常と上下が逆になった状態）において模様やイラストを付し、オブジェとして利用することができる。
【符号の説明】
【００２８】
１：前面部、２：背面部、３：開口部、４：ファスナー、５，６：連結部、７：変形誘発部、８：紐部材取付リング、９：フェルト、１０：載置面、２０：ヘッドフォン、３０：紐部材、７０：内部支持部材、４１：スライダー、４３：テープ、４３：エレメント、５１：係合部、５２：切欠部、６１：開口、１００：バッグ
【図１】
2017195571.tif 000003
【図２】
2017195571.tif 000004
【図３】
2017195571.tif 000005
【図４】
2017195571.tif 000006
【図５】
2017195571.tif 000007
【図６】
2017195571.tif 000008
【図７】
2017195571.tif 000009
【図８】
2017195571.tif 000010
【図９】
2017195571.tif 000011
【国際調査報告】
2017195571.tif 000012
2017195571.tif 000013